(57)【要約】      （修正有）【課題】フィットネス中にマッサージでき、装着しやすくて、収納効果を向上させて収納後の占有面積を減少させることができるマッサージシリコンポイント付きのフィットネスベルトを提供する。【解決手段】マッサージシリコンポイント付きのフィットネスベルトは、弾性ベルト１、面ファスナーと２組の弾性リフトアップベルト３を含み、弾性ベルト１の内側に複数組の突出しているマッサージシリコンポイント５が接着固定され、面ファスナーがサブテープ６と主テープを含み、２組の弾性リフトアップベルト３がそれぞれ弾性ベルト１の左右両側に固定されている。【選択図】図１
0003229125.tif 000002
【実用新案登録請求の範囲】
【請求項１】
マッサージシリコンポイント付きのフィットネスベルトであって、弾性ベルト（１）と、マジックテープ（２）と、２組の弾性リフトアップベルト（３）とを含み、前記弾性ベルト（１）の一端が開口しており、且つ前記開口端が縫糸（４）で結ばれ、弾性ベルト（１）の内側に複数組の突出しているシリコンポイントが接着・固定され、前記各組のシリコンポイント組におけるマッサージシリコンポイント（５）の大きさが異なり、且つ各組のマッサージシリコンポイント組におけるマッサージシリコンポイント（５）の体積が中心から外側に向かって順に小さくなり、前記マジックテープ（２）がサブテープ（６）と主テープ（７）を含み、且つサブテープ（６）と主テープ（７）がそれぞれ弾性ベルト（１）の前側にある開口接合部及び弾性ベルト（１）の後ろ側左半区域に固定され、前記２組の弾性リフトアップベルト（３）がそれぞれ弾性ベルト（１）の左右両側に固定されていることを特徴とするマッサージシリコンポイント付きのフィットネスベルト。
【請求項２】
前記弾性ベルト（１）は、内部がラテックス糸であるゴムベルトを採用していることを特徴とする、請求項１に記載のマッサージシリコンポイント付きのフィットネスベルト。
【請求項３】
前記マッサージシリコン（５）の硬さ数値が１５から２０ＨＲＣであることを特徴とする、請求項１に記載のマッサージシリコンポイント付きのフィットネスベルト。
【請求項４】
前記サブテープ（６）及び主テープ（７）と２組の弾性リフトアップベルト（３）は、それぞれ縫糸（４）で弾性ベルト（１）に接合されていることを特徴とする、請求項１に記載のマッサージシリコンポイント付きのフィットネスベルト。
【請求項５】
前記弾性リフトアップベルト（３）の内側壁は、弾性ベルト（１）の外側壁と接触していることを特徴とする、請求項１に記載のマッサージシリコンポイント付きのフィットネスベルト。
【考案の詳細な説明】
【技術分野】
【０００１】
本考案は、フィットネスベルト技術分野に関し、具体的にマッサージシリコンポイント付きのフィットネスベルトである。
【背景技術】
【０００２】
フィットネスベルトは、フィットネスにしようされる弾性ベルトであり、使用時には、足の股間に装着し、脚のリフトアップ動作を行うことで、人の脚と臀部のフィットネスシェーピングに有利である。
【０００３】
従来のフィットネスベルトは機能が単一で、運動中にマッサージの機能が実現できず、フィットネスベルトに対する多機能利用に対するニーズに応えることが困難である。また、フィットネス効果を確保するためにフィットネスベルトを引っ張ることが難しく、ユーザがそれを足の股間に装着させるのも手間がかかる。フィットネスを収納する際にも手元に置いてしまうと収納効果が悪い。
【考案の概要】
【考案が解決しようとする課題】
【０００４】
本考案は、従来技術の不足に対して、フィットネス中にマッサージでき、装着しやすくて、収納効果を向上させて収納後の占有面積を減少させる長所があるマッサージシリコン付きのフィットネスベルトを提供する。
【課題を解決するための手段】
【０００５】
本考案は、上記目的を実現するために、以下の技術的解決策を提供する。弾性ベルト、マジックテープ（登録商標）、２組の弾性リフトアップベルトを含むマッサージシリコンポイントのマッサージフィットネスベルトであり、前記弾性ベルトは一端が開口しており、前記開口端が縫糸で結ばれ、弾性ベルト（１）の内側に複数組の突出しているシリコンポイントが接着・固定され、前記各組のシリコンポイント組におけるマッサージシリコンポイント（５）の大きさが異なり、且つ各組のマッサージシリコンポイント組におけるマッサージシリコンポイント（５）の体積が中心から外側に向かって順に小さくなり、前記マジックテープがサブテープと主テープを含み、且つサブテープと主テープがそれぞれ弾性ベルト前側にある開口接合部と弾性ベルトの後ろ側にある左半区域に固定され、前記２組のリフトアップベルトがそれぞれ弾性ベルトの左右両側に固定されている。
好ましくは、前記弾性ベルトは、内部がラテックス糸であるゴムベルトを採用する。
好ましくは、前記マッサージシリコンの硬さ数値が１５から２０ＨＲＣである。
好ましくは、前記サブテープ及び主テープと２組の弾性リフトアップベルトは、それぞれ縫糸で弾性ベルトに接合されている。
好ましくは、前記弾性リフトアップベルトの内側壁は、弾性ベルトの外側壁と接触している。
【考案の効果】
【０００６】
本考案は、従来技術に比べてマッサージシリコンポイント付きのフィットネスベルトを提供し、以下の有益効果を有する。
【０００７】
１、該マッサージシリコン付きのフィットネスベルトは、フィットネスベルトの内側に設置された複数組のマッサージシリコンポイントによって、脚のリフトアップ時に、摩擦力を増加するだけでなく、フィットネスベルトと接触している部位に対しマッサージすることもでき、フィットネスベルトの開口部が縫糸で接合されるので、人の脚部の外周の大きさに従って事前にカスタムと剪断ができ、そして縫糸でフィットネスベルトの両開口端をほとんど平らに接続させるため、装着時に突出感がなし、より快適に使用可能である。
【０００８】
２、該マッサージシリコン付きのフィットネスは、フィットネスの両側に固定された弾性リフトアップベルトをハンドルとして使用するため、ユーザがフィットネス中に２組の弾性リフトアップベルトを持ち、フィットネスベルトを太もものヒップまで引っ張ることができ、装着しやすくなる。また、フィットネスベルトを折り畳んでマジックテープを通して折り畳まれたフィットネスを固定することにより、収納効果を向上させて収納後の占有面積を減少させる。
【図面の簡単な説明】
【０００９】
【図１】本考案の斜視図である。
【図２】本考案の上面図である。
【図３】本考案が折り畳まれた正面図である。
【図４】本考案の内部概略図である。
【００１０】
図中、１、弾性ベルト  ２、マジックテープ  ３、弾性リフトアップベルト  ４、縫糸  ５、マッサージシリコンポイント  ６、サブテープ  ７、主テープ。
【考案を実施するための形態】
【００１１】
以下は本考案実施例中の図面と組み合わせて、本考案実施例中の技術的解決策を完全にはっきりして説明し、説明される実施例が本考案の一部実施例だけであり、全部の実施例ではないことが明らかである。本考案中の実施例に基づいて、本分野の一般的な技術者が得た他の全部実施例は、すべて本考案の保護範囲に属する。
本分野の技術者は以下のことを理解すべきである。本考案の開示において、用語「縦方向」、「横方向」、「上」、「下」、「前」、「後」、「左」、「右」、「鉛直」、「水平」、「トップ」、「底」、「内」、「外」などで指示された方位又は位置関係は、図に基づく方位又は位置関係であり、それはただ本考案の説明の容易と説明の簡単のためであり、指示された装置又は素子に必ず特定の方位があり、特定な方位で構成又は操作することを明示又は暗示してはないので、上記用語は本考案を限定するためのものだと理解してはいけない。
図１−４を参照して、弾性ベルト１、マジックテープ２と２組の弾性リフトアップベルト３を含むマッサージシリコンポイント付きのフィットネスベルトである。弾性ベルト１の一端が開口して、開口端が縫糸４で接続され、開口端が縫糸４で結合されることによって、人間の脚部の外周の大きさに従って事前にカスタムと剪断ができ、そして縫糸４でフィットネスベルトの両開口端をほとんど平らに接続させるので、装着時に突出感がなし、使用をより快適にし、弾性ベルト（１）の内側に複数組の突出しているシリコンポイントが接着・固定され、前記各組のシリコンポイント組におけるマッサージシリコンポイント（５）の大きさが異なり、且つ各組のマッサージシリコンポイント組におけるマッサージシリコンポイント（５）の体積が中心から外側に向かって順に小さくなり、複数組のマッサージシリコンポイント５によって、脚部リフトアップ時に、摩擦力を増加するだけでなく、フィットネスベルトと接触している部位に対してマッサージすることもでき、マジックテープ２がサブテープ６と主テープ７を含み、且つサブテープ６と主テープ７がそれぞれ弾性ベルト１の前側にある開口接合部及び弾性ベルト１の後ろ側左半区域に固定され、そしてフィットネスベルトを折り畳んでマジックテープ２を通して折り畳まれたフィットネスを固定することにより、収納効果を向上させて収納後の占有面積を減少させ、２組の弾性リフトアップベルト３がそれぞれ弾性ベルト１の左右両側に固定され、ユーザがフィットネスをやる時に２組の弾性リフトアップベルト３を握ってフィットネスベルトを大腿臀部まで引っ張り、装着することに便利で、弾性ベルト１は、内部がラテックス糸であるゴムベルトを採用し、ゴムベルトの価格が低廉で、実用性がよく、且つラテックス糸の特性で弾性ベルト１をもっと柔らかくさせ、マッサージシリコン５の硬さ数値が１５から２０ＨＲＣであり、マッサージシリコン５のマッサージ効果を確保し、サブテープ６及び主テープ７と２組の弾性リフトアップベルト３は、それぞれ縫糸４で弾性ベルト１に接合され、縫糸４でサブテープ６、主テープ７及び２組の弾性リフトアップベルト３の弾性ベルト１との固定効果を確保し、弾性リフトアップベルト３の内側壁が弾性ベルト１の外側壁と接触し、密着設置された弾性リフトアップベルト３でその弾性ベルト１での美観度を確保する。
以上説明したように、該マッサージシリコンポイント付きのフィットネスベルトは使用時に、まずフィットネスの両側に固定された弾性リフトアップベルト３を提げ手として、ユーザが両手で２組の弾性リフトアップベルト３を握ってフィットネスベルトを大腿外部に引っかかって大腿臀部まで引っ張り、その後ユーザがしゃがむトレーニングをすればよい。上記過程において、フィットネスベルトの内側に設置された複数組のマッサージシリコンポイント５によって、脚部リフトアップ時に、摩擦力を増加しただけではなく、フィットネスベルトと接触している部位に対してマッサージすることもできる。使用完成後に、フィットネスベルトを取り下げて三回折り畳んで、フィットネスベルト上のサブテープ６と主テープ７を接着固定させることによって、収納効果を向上させて収納後の占有面積を減少させ、本フィットネスベルト開口端が縫糸４で接合されるので、人間の脚部の外周の大きさに従って事前にカスタムと剪断ができ、そして縫糸４でフィットネスベルトの両開口端をほとんど平らに接続させるので、装着時に突出感がなし、使用をより快適にする。
理解できることは、用語の「1つ」を「少なくとも１つ」又は「1つ又は複数」に理解することであり、即ち一つの実施例において、1つの素子の数量が1つであってもよく、そして他の実施例において、該素子の数量が複数であってもよく、用語「1つ」を数量に対する限定だと理解すべきではない。
本考案は上記の最適な実施形態に限定されなく、誰でも本考案の啓示で他の各種形式の製品を得ることができるが、その形状又は構造でどんなに変化しても、本出願と同じ又は類似する技術的解決策があるなら、すべて本考案の保護範囲内にある。
【図１】
0003229125.tif 000003
【図２】
0003229125.tif 000004
【図３】
0003229125.tif 000005
【図４】
0003229125.tif 000006
【手続補正書】
【提出日】令和2年8月24日(2020.8.24)
【手続補正１】
【補正対象書類名】実用新案登録請求の範囲
【補正対象項目名】全文
【補正方法】変更
【補正の内容】
【実用新案登録請求の範囲】
【請求項１】
マッサージシリコンポイント付きのフィットネスベルトであって、弾性ベルト（１）と、面ファスナー（２）と、２組の弾性リフトアップベルト（３）とを含み、前記弾性ベルト（１）の一端が開口しており、且つ前記開口端が縫糸（４）で結ばれ、弾性ベルト（１）の内側に複数組の突出しているシリコンポイントが接着・固定され、前記各組のシリコンポイント組におけるマッサージシリコンポイント（５）の大きさが異なり、且つ各組のマッサージシリコンポイント組におけるマッサージシリコンポイント（５）の体積が中心から外側に向かって順に小さくなり、前記面ファスナー（２）がサブテープ（６）と主テープ（７）を含み、且つサブテープ（６）と主テープ（７）がそれぞれ弾性ベルト（１）の前側にある開口接合部及び弾性ベルト（１）の後ろ側左半区域に固定され、前記２組の弾性リフトアップベルト（３）がそれぞれ弾性ベルト（１）の左右両側に固定されていることを特徴とするマッサージシリコンポイント付きのフィットネスベルト。
【請求項２】
前記弾性ベルト（１）は、内部がラテックス糸であるゴムベルトを採用していることを特徴とする、請求項１に記載のマッサージシリコンポイント付きのフィットネスベルト。
【請求項３】
前記マッサージシリコンポイント（５）の硬さ数値が１５から２０ＨＲＣであることを特徴とする、請求項１に記載のマッサージシリコンポイント付きのフィットネスベルト。
【請求項４】
前記サブテープ（６）及び主テープ（７）と２組の弾性リフトアップベルト（３）は、それぞれ縫糸（４）で弾性ベルト（１）に接合されていることを特徴とする、請求項１に記載のマッサージシリコンポイント付きのフィットネスベルト。
【請求項５】
前記弾性リフトアップベルト（３）の内側壁は、弾性ベルト（１）の外側壁と接触していることを特徴とする、請求項１に記載のマッサージシリコンポイント付きのフィットネスベルト。
【手続補正２】
【補正対象書類名】明細書
【補正対象項目名】０００５
【補正方法】変更
【補正の内容】
【０００５】
本考案は、上記目的を実現するために、以下の技術的解決策を提供する。弾性ベルト、面ファスナー（例えば、マジックテープ（登録商標））、２組の弾性リフトアップベルトを含むマッサージシリコンポイントのマッサージフィットネスベルトであり、前記弾性ベルトは一端が開口しており、前記開口端が縫糸で結ばれ、弾性ベルト（１）の内側に複数組の突出しているシリコンポイントが接着・固定され、前記各組のシリコンポイント組におけるマッサージシリコンポイント（５）の大きさが異なり、且つ各組のマッサージシリコンポイント組におけるマッサージシリコンポイント（５）の体積が中心から外側に向かって順に小さくなり、前記面ファスナーがサブテープと主テープを含み、且つサブテープと主テープがそれぞれ弾性ベルト前側にある開口接合部と弾性ベルトの後ろ側にある左半区域に固定され、前記２組のリフトアップベルトがそれぞれ弾性ベルトの左右両側に固定されている。
好ましくは、前記弾性ベルトは、内部がラテックス糸であるゴムベルトを採用する。
好ましくは、前記マッサージシリコンの硬さ数値が１５から２０ＨＲＣである。
好ましくは、前記サブテープ及び主テープと２組の弾性リフトアップベルトは、それぞれ縫糸で弾性ベルトに接合されている。
好ましくは、前記弾性リフトアップベルトの内側壁は、弾性ベルトの外側壁と接触している。
【手続補正３】
【補正対象書類名】明細書
【補正対象項目名】００１０
【補正方法】変更
【補正の内容】
【００１０】
符号の説明
図中、１、弾性ベルト  ２、面ファスナー  ３、弾性リフトアップベルト  ４、縫糸  ５、マッサージシリコンポイント  ６、サブテープ  ７、主テープ。